(57)【要約】【課題】  商品購入時のレシート情報、ポイントカードのポイント情報及び銀行における入出金情報等を携帯電話機のみを用いて有効に活用可能にすること。【解決手段】  商品購入時のレシート情報、ポイント情報、銀行通帳の記録情報等を携帯電話機に付属したスキャナから読み込む第１の手段と、読み込んだ情報を携帯電話機内の記憶手段に蓄積する第２の手段と、蓄積した情報を分析し、科目別または店舗別の累計、または指定した店舗における累計の遷移をグラフ化して表示する第３の手段とを備えたことを特徴とする。【選択図】      図１
2005258520.tif 000002
【特許請求の範囲】
【請求項１】
商品購入時のレシート情報、ポイント情報、銀行通帳の記録情報等を携帯電話機に付属したスキャナから読み込む第１の手段と、
読み込んだ情報を携帯電話機内の記憶手段に蓄積する第２の手段と、
蓄積した情報を分析し、科目別または店舗別の累計、または指定した店舗における累計の遷移をグラフ化して表示する第３の手段と
を備えたことを特徴とする携帯電話機による入出金管理システム。
【請求項２】
前記第２の手段で蓄積した情報のうち予め指定した科目または店舗における累計が予め設定した閾値を超えたか否かを監視し、超えた場合には警告を出力する第４の手段をさらに備えることを特徴とする請求項１に記載の携帯電話機による入出金管理システム。
【請求項３】
商品購入時のレシート情報、ポイント情報、銀行通帳の記録情報等をスキャナから読み込む第１の手段と、
読み込んだ情報を携帯電話機内の記憶手段に蓄積する第２の手段と、
蓄積した情報を分析し、科目別または店舗別の累計、または指定した店舗における累計の遷移をグラフ化して表示する第３の手段と
を備えたことを特徴とする携帯電話機。
【請求項４】
前記第２の手段で蓄積した情報のうち予め指定した科目または店舗における累計が予め設定した閾値を超えたか否かを監視し、超えた場合には警告を出力する第４の手段をさらに備えることを特徴とする請求項３に記載の携帯電話機。
【発明の詳細な説明】
【技術分野】
【０００１】
本発明は、商品購入時のレシート情報やバーコード情報などの出金情報、ポイント情報、給与明細など入金情報をスキャナ付き携帯電話機により携帯電話機内に随時読み込み、携帯電話機内に蓄積された入出金情報を予め定めた科目別あるいは店舗別に整理して管理するための入出金管理システムおよび携帯電話機に関するものである。
【背景技術】
【０００２】
従来、携帯電話機を家計簿用に登録する技術、スキャナ付き携帯電話機としての技術として、例えば、下記特許文献１及び特許文献２に記載のものが知られている。
下記特許文献１に記載のものは、レシート不要化、ペーパーレス化、省資源化及びゴミ削減をしながら購入者に対して従来のレシートに印字されていた情報を提供するものである。また同時に、例えば購入時、レジのＰＯＳ端末より通信技術を用いて電子化レシート情報を携帯電話機に一時的に蓄積させる。その後、携帯電話機より通信技術を用いて電子化レシート情報をパーソナルコンピュータ上に移管し家計簿情報を作成する技術についてのものである。
また、下記特許文献２に記載のものは、スキャナ付き携帯電話機にて読み取った情報を携帯電話機の画面に表示させる技術についてのものである。
【特許文献１】特開２００１−２８３３３３号公報
【特許文献２】特開２００２−２６１９００号公報
【発明の開示】
【発明が解決しようとする課題】
【０００３】
しかしながら、上記特許文献１に記載の技術は、電子化レシート情報をＰＯＳ端末より受け取ることが前提となっており、ＰＯＳ端末が電子化レシートに対応出来ていない場合には対応する術がない。また、携帯電話機に一時的にデータを蓄積し、その後パーソナルコンピュータにデータを移管する必要があるため、パーソナルコンピュータを所有していない購入者、あるいはパーソナルコンピュータの使い方に慣れていない購入者にあっては利用することができない。
上記特許文献２に記載の技術についてはスキャナで読み込んだ情報を画面に表示するが、そのデータについて利用する術が記載されていない。
本発明の目的は、商品購入時のレシート情報、ポイントカードのポイント情報及び銀行における入出金情報等を携帯電話機のみを用いて有効に活用することができる携帯電話機による入出金管理システム及び携帯電話機を提供することにある。
【課題を解決するための手段】
【０００４】
上記目的を達成するために、本発明に係る携帯電話機による入出金管理システムは、商品購入時のレシート情報、ポイント情報、銀行通帳の記録情報等を携帯電話機に付属したスキャナから読み込む第１の手段と、読み込んだ情報を携帯電話機内の記憶手段に蓄積する第２の手段と、蓄積した情報を分析し、科目別または店舗別の累計、または指定した店舗における累計の遷移をグラフ化して表示する第３の手段とを備えたことを特徴とする。
また、前記第２の手段で蓄積した情報のうち予め指定した科目または店舗における累計が予め設定した閾値を超えたか否かを監視し、超えた場合には警告を出力する第４の手段をさらに備えることを特徴とする。
本発明に係る携帯電話機は、商品購入時のレシート情報、ポイント情報、銀行通帳の記録情報等をスキャナから読み込む第１の手段と、読み込んだ情報を携帯電話機内の記憶手段に蓄積する第２の手段と、蓄積した情報を分析し、科目別または店舗別の累計、または指定した店舗における累計の遷移をグラフ化して表示する第３の手段とを備えたことを特徴とする。
さらに、前記第２の手段で蓄積した情報のうち予め指定した科目または店舗における累計が予め設定した閾値を超えたか否かを監視し、超えた場合には警告を出力する第４の手段をさらに備えることを特徴とする。
【発明の効果】
【０００５】
本発明によれば、携帯電話機利用者が入出金管理システムを利用する際に、蓄積したレシート情報等により家計の状況、銀行の入出金状況等を携帯電話機にて容易に把握出来るようになり、さらに、多種多様化するレシート情報を携帯電話機にて一元管理すること、家計簿の自動作成機能により家計簿付けの煩わしさや、レシートのペーパー管理の煩わしさを解消することが可能になる。
【発明を実施するための最良の形態】
【０００６】
以下、本発明を実施する場合の一形態を図面を参照して具体的に説明する。
図１は、本発明の携帯電話機による入出金管理システムを示すブロック図である。
本携帯電話機による入出金管理システムは、図１に示すように、商品購入時に店舗から受け取るレシート情報１を読み込むスキャナ２と、スキャナ２に接続する携帯電話機３と、データを退避する外部媒体４から構成されている。スキャナ２は図１のように外部に接続する形態、あるいは携帯電話機３内に組み込まれる形態のどちらでも良い。
携帯電話機３は、店舗情報登録／変更／削除処理３１１、科目コード登録／変更／削除処理３１２、閾値登録／変更／削除処理３１３、レシート情報解析処理３１４、店舗情報参照処理３１５、科目コード参照処理３１６、閾値参照処理３１７、情報蓄積処理３１８、蓄積データ分析処理３１９、蓄積データ退避処理３２０、蓄積データリストア処理３２１を行うためのプログラムを内部メモリ内に格納している。
また、携帯電話機３はテーブルとして店舗情報５１、科目コード５２、閾値５３、蓄積データ５４を内部メモリ内に格納可能になっている。
【０００７】
店舗情報登録／変更／削除処理３１１は、店舗コードの登録／変更／削除時に使用される店舗情報５１を更新する。
科目コード登録／変更／削除処理３１２は、科目コードの登録／変更／削除時に使用される科目コード５２を更新する。
閾値登録／変更／削除処理３１３は、閾値の登録／変更／削除時に使用される閾値５３を更新する。
レシート情報解析処理３１４は、スキャナ２から読み込んだ文字情報を解析する時に使用する。
店舗情報参照処理３１５は、スキャナ２から読み込む情報を蓄積データ５４に登録する際に店舗コードが店舗情報５１に登録されているかチェックする時に使用する。
科目コード参照処理３１６は、スキャナ２から読み込む情報を蓄積データ５４に登録する際に科目コードが科目コード５２に登録されているかチェックする時に使用する。
閾値参照処理３１７は、スキャナ２から読み込む情報を蓄積データ５４に登録する際に科目コードに閾値が登録されているかチェックし、登録されている場合には蓄積データ５４とのサマリー値が閾値を超過しているかチェックする時に使用する。
情報蓄積処理３１８は、スキャナ２から読み込まれチェックを通過した情報を蓄積データ５４に登録する時に使用する。
蓄積データ退避処理３２０は、蓄積データ５４を外部媒体４にコピーする時に使用する。
蓄積データリストア処理３２１は外部媒体４から蓄積データをリストアする際に使用する。
店舗情報５１は、携帯電話機３に登録されている店舗コードを管理し、店舗コードと店舗名の関連付けを行うための情報を保持する（図９の５１１、５１２）。
科目コード５２は、携帯電話機３に登録されている科目コードを管理し、科目コードと科目名の関連付けを行うための情報を保持する（図９の５２１、５２２）。
閾値５３は、携帯電話機３に登録されている閾値を管理し、店舗コード及び科目コードと閾値の関連付けを行う為の情報を保持する（図９の５３１〜５３４）。
蓄積データ５４は、蓄積データ５４を登録した時刻と登録情報を保持する（図９の５４１〜５４６）。
【０００８】
以上の構成において、まず、携帯電話機３による入出金管理システムの店舗情報、科目コード、閾値を登録／変更／削除する際の画面イメージについて説明する。
図２は、携帯電話機の画面遷移イメージである。
図２において、まず、画面５１は全ての処理において共通のメニュー画面例である。
携帯電話機３の利用者が使用したい機能を選択の処理の開始時に表示する初期画面である。
また、画面５１１は登録／変更／削除する情報の選択を促すサブメニュー画面であり、画面５１１１〜画面５１１５は店舗情報、科目コード、閾値を登録／変更／削除する場合での画面例である。
画面５１１１は、店舗情報を登録／変更／削除する時に使用する画面例であり、店舗コード、店舗名の入力を行う。この画面５１１１では、店舗コード、店舗名を携帯電話機３のキーパッドより入力することもでき、またスキャナ２を使用し、スキャナ２に内蔵の文字読取り機能によりレシート１の店舗名を読み込むことができる。図２では、スキャナ読み込みが可能であることを示す「スキャナ」という白抜き文字のスキャナボタンが表示され、このスキャナボタンを操作することにより、店舗名を読み込むことができるようになっている。
画面５１１２は科目コードを登録／変更／削除する時に使用する画面例であり、科目コード、科目名の入力を行う。この画面５１１２でも、科目コード、科目名を携帯電話機３のキーパッドより入力することもでき、またスキャナ２を使用し、スキャナ２に内蔵の文字読取り機能によりレシート１の科目名を読み込むことができる。図２では、スキャナ読み込みが可能であることを示す「スキャナ」という白抜き文字のスキャナボタンが表示され、このスキャナボタンを操作することにより、科目名を読み込むことができるようになっている。
画面５１１３及び画面５１１５は、閾値を登録／変更／削除する時に使用する画面例であり、画面５１１３で科目コード、店舗コード、閾値を入力すると、画面５１１５が表示され、この画面で閾値対処の入力を行う。
画面５１１４は、更新が正常に終了したことを携帯電話機３の利用者に通知する画面例であり、メニュー画面などの他画面に遷移することが可能である。
【０００９】
次に、入出金管理システムの店舗情報、科目コード、閾値を登録／変更／削除する際の処理を説明する。
図３は店舗情報、科目コード、閾値を登録／変更／削除する際の処理手順である。
図３において、まず、画面５１１の選択をトリガーとして店舗情報、科目コード、閾値を登録／変更／削除する際の処理手順である。
図３において、まず、画面５１１の選択をトリガーとして店舗情報登録／変更／削除処理３１１、または科目コード登録／変更／削除処理３１２、または閾値登録／変更／削除処理３１３が起動する。必要情報を入力した後（ステップ３１１１、３１２１、３１３１）、入力した情報が既に登録されているかを確認する（ステップ３１１２）。
登録操作の場合で既に登録済みの場合、または変更／削除操作で登録されていない場合はエラーを出力する。それ以外の場合は更新処理を行い、店舗情報、科目コード、閾値の登録／変更／削除処理を終了する（ステップ３１１３、３１１４、３１１５、３１１６、３１１７）。
【００１０】
次に、入出金管理システムにレシート情報、入手金情報、ポイント情報等のデータを蓄積する際の画面イメージについて説明する。
図４は、携帯電話機３の画面遷移イメージである。
図４において、まず、画面５１は前述した様に入出金管理システムの初期画面である。また、画面５１２は蓄積する情報の選択を促すサブメニュー画面であり、画面５１２１〜画面５１２４はレシート情報、入手金情報、ポイント情報のデータを蓄積する場合での画面例である。
画面５１２１は、レシート情報を蓄積する際に利用する画面例であり、店舗コード、科目コード、金額の入力を行う。
画面５１２２は、銀行入出金情報を蓄積する際に利用する画面例であり、店舗コード、科目コード、入出金額の入力を行う。
画面５１２３は、ポイント情報を蓄積する際に利用する画面例であり、店舗コード、科目コード、ポイントの入力を行う。
画面５１２４は、登録が正常に終了したことを携帯電話機利用者に通知する画面例であり、他画面に遷移することが可能である。
画面５１２１、５１２２、５１２３では、店舗コード等の情報を携帯電話機３のキーパッドより入力することもでき、またスキャナ２を使用し、スキャナ２に内蔵の文字読取り機能によりレシート１、または銀行通帳、ポイントカードの金額、ポイントなどを読取って読み込むことができる。図２では、レシートの金額、銀行通帳の入出金額、ポイントカードのポイントの情報をスキャナ読み込みが可能であることを示す「スキャナ」という白抜き文字のスキャナボタンが表示されている例を示している。
また、「参照」という白抜き文字の参照ボタンが店舗コードおよび科目コードの左隣に表示され、この参照ボタンを操作することにより、店舗コード、科目コードの登録情報一覧を表示させ、その一覧から店舗コード、科目コードを選択して入力することも可能になっている。
【００１１】
次に、入出金管理システムにレシート情報、入手金情報、ポイント情報等のデータを蓄積する際の処理を説明する。
図５は、データを蓄積する際の処理手順である。
図５において、まず、レシート情報解析処理３１４が起動される。店舗コード、科目コード、金額などの必要情報を入力した後（ステップ３１４１、３１４２、３１４３）、店舗情報参照処理３１５、科目コード参照処理３１６が起動され、入力した店舗コード、科目コードが既に登録されているかを確認（ステップ３１６１）する。
登録されていない場合はエラーを出力する（ステップ３１６２）。登録されていた場合には閾値参照処理３１７が起動され、登録されているかを確認する。閾値を越える場合には閾値対処を行い、越えない場合には何もしない（ステップ３１７１、３１７２）。
その後、情報蓄積処理３１８にてデータを登録し、データ蓄積処理を終了する。
また、情報蓄積処理３１８により、閾値登録処理３１３で登録された科目の支出合計が閾値を超えていると判定された場合には、アラームなどの警告を表示または発音する。
また、情報蓄積処理３１８により閾値登録処理３１３で登録された銀行の借金額が閾値を超えていると判定された場合には、アラームなどの警告を表示または発音する。
また同様に、情報蓄積処理３１８は、ポイント分析した後に、閾値登録処理３１３で登録された店舗のポイントの累計が閾値を超えていた場合には、ポイント交換を促すためのアラームなどの警告を表示または発音する。閾値を超えたかどうかの判定は蓄積データ分析処理３１９が行う。
【００１２】
次に、入出金管理システムにて蓄積データを分析する際の画面イメージについて説明する。
図６は、携帯電話機３の画面遷移イメージである。
図６において、まず、画面５１は前述した様に入出金管理システムの初期画面である。
また、画面５１３は分析するデータの選択を促すサブメニュー画面であり、画面５１３１〜画面５１３４は蓄積データを分析する場合での画面例である。
画面５１３１は、家計簿情報を分析する際に利用する画面例であり、分析期間の入力を行う。
画面５１３２は、銀行入出金情報を分析する際に利用する画面例であり、店舗コードを指定して分析する方法と指定せずに全体を分析する方法の選択を促す画面である。この画面５１３２では、白抜き文字の「参照ボタン」を操作することにより、店舗コード一覧を表示させ、その一覧の中から分析対象とする銀行の店舗コードを入力することができる。
画面５１３３は、ポイント情報を分析する際に使用する画面例であり、店舗コードの入力を行う。この画面５１３３でも白抜き文字の「参照ボタン」を操作することにより、店舗コード一覧を表示させ、その一覧の中から分析対象とする店舗の店舗コードを入力することができる。
画面５１３４は、分析結果をグラフ化して表示する画面例であり、他画面に遷移することが可能である。
図６の画面５１３で分析項目として「家計簿」を選択し、画面５１３１で分析期間を入力した場合、蓄積データ分析処理３１９がその分析期間内で入出金した各科目の累計を科目別に算出し、その累計値を科目別の棒グラフ、または円グラフ等にグラフ化して表示する。
また、分析項目として「銀行」を選択し、画面５１３２で分析対象の店舗コードを入力した場合、蓄積データ分析処理３１９がその店舗コードの銀行における残高、あるいは借金残高の遷移を例えば折れ線グラフにグラフ化して表示する。
また、分析項目として「ポイント」を選択し、画面５１３３で分析対象の店舗コードを入力した場合、蓄積データ分析処理３１９がその店舗コードの店舗におけるポイントの累計の遷移を例えば折れ線グラフにグラフ化して表示する。
【００１３】
次に、入出金管理システムから蓄積データを外部媒体に退避／リストアさせる際の画面イメージについて説明する。
図７は、携帯電話機３の画面遷移イメージである。
図７において、まず、画面５１は前述した様に入出金管理システムの初期画面である。また、画面５１４は蓄積データを退避するかリストアするかの選択を促すサブメニュー画面であり、画面５１４１〜画面５１４３は蓄積データを退避／リストアする場合での画面例である。
画面５１４１は、外部媒体４に蓄積データを退避する際に利用する画面例であり、退避期間の入力を行う。
画面５１４２は、外部媒体４から蓄積データをリストアする際に利用する画面例である。
画面５１４３は、処理結果を通知する画面例であり、他画面に遷移することが可能である。
【００１４】
次に、入出金管理システムから蓄積データを外部媒体に退避／リストアさせる際の処理を説明する。
図８は、蓄積データを外部媒体４に退避／リストアさせる際の処理手順である。
図８において、まず、画面５１４の選択をトリガーとして蓄積データ退避処理３２０、または蓄積データリストア処理３２１が起動される。退避期間などの必要情報を入力した後（ステップ３２０１）、外部媒体４にコピー（ステップ３２０２）、または蓄積データにリストアされ（ステップ３２１１）、退避／リストア処理を終了する。
以上のように、本実施形態においては、携帯電話機３に付属したスキャナ２により、レシート情報や銀行通帳の記録内容、ポイントカードのポイント情報を読取り、その読み取った情報を携帯電話機内に蓄積しておき、その蓄積したデータを科目別や店舗コード別に分析し、グラフ化して表示するようにしたため、パーソナルコンピュータを使用することなく携帯電話機のみでレシート情報や銀行通帳などの記録情報を有効に活用することができる。
【図面の簡単な説明】
【００１５】
【図１】本発明の携帯電話機による入出金管理システムの実施形態の構成例を示すブロック図である。
【図２】携帯電話機に店舗情報、科目コード、閾値を登録／変更／削除する際の画面イメージを示す図である。
【図３】店舗情報、科目コード、閾値の登録／変更／削除時の機能をフローチャートである。
【図４】携帯電話機にレシート情報、ポイント情報を蓄積する際の画面イメージを示す図である。
【図５】レシート情報、ポイント情報蓄積時の機能をフローチャートである。
【図６】携帯電話機に家計簿情報を表示させる際の画面イメージを示す図である。
【図７】外部媒体に蓄積データを退避させる画面イメージを示す図である。
【図８】蓄積データ退避時の機能をフローチャートである。
【図９】携帯電話機内で保持するテーブルのレイアウトを示す図である。
【符号の説明】
【００１６】
１…レシート情報
２…スキャナ
３…携帯電話機
４…外部媒体
【図１】
2005258520.tif 000003
【図２】
2005258520.tif 000004
【図３】
2005258520.tif 000005
【図４】
2005258520.tif 000006
【図５】
2005258520.tif 000007
【図６】
2005258520.tif 000008
【図７】
2005258520.tif 000009
【図８】
2005258520.tif 000010
【図９】
2005258520.tif 000011